(57)【要約】      （修正有）【課題】腹部の所がずれない、着脱に手間がかからない、バラエティ−豊富な越中褌の作成。【解決手段】帯の両端の結びを左又は右の脇腹の所で長さ調節付き連結器により行うことにした。帯と覆い布の一端を縫い合せ固定する構造の場合で、帯との連結品２箇所の他に折り重ねて覆い布同士を連結するための連結品４箇所を配置した物と、配置しない物の２種類を作り、配置した物は表裏前後の４パタ−ンで使い、配置しない物は片面前後２パタ−ンで使うので、それに対応した４種類の帯を作成し、また、帯と覆い布を分離した構造の場合で、帯との連結品２箇所の他に覆い布同士を連結するための連結品４箇所を配置した物にさらに、一端に帯を通すために筒状を作り、帯との連結のための連結品を両端に配置した覆い布を作り、帯は、前記の４種類のすべての連結品を網羅した帯を作成した。【選択図】図９
0003128523.tif 000002
【実用新案登録請求の範囲】
【請求項１】
帯の一端に、市販の長さ調節付き連結器を折り曲げて取り付けるための連結品を、右端より２箇所取り付け、布を挟んで反対側の左隣より、覆い布の一端を縫い合せ固定し、それより脇腹にくる余巾を取り、布を挟んで反対側左隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項２】
帯の一端に、市販の長さ調節付き連結器を折り曲げて取り付けるための連結品を、左端より２箇所取り付け、布を挟んで反対側の右隣より、覆い布の一端を縫い合せ固定し、それより脇腹にくる余巾を取り、布を挟んで反対側右隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項３】
帯の一端に、市販の長さ調節付き連結器を折り曲げて取り付けるための連結品を、右端より２箇所取り付け、左隣に覆い布の連結のための連結品を配置し、それよりまた、覆い布の連結巾を取り、覆い布の連結のための連結品を配置し、脇腹にくる余巾を取り、布を挟んで反対側の左隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項４】
帯の一端に、市販の長さ調節付き連結器を折り曲げて取り付けるための連結品を、左端より２箇所取り付け、右隣に覆い布の連結のための連結品を配置し、それよりまた、覆い布の連結巾を取り、覆い布の連結のための連結品を配置し、脇腹にくる余巾を取り、布を挟んで反対側の右隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項５】
帯の一端に、市販の長さ調節付き連結器を折り曲げて取り付けるための連結品を、右端より２箇所取り付け、布を挟んで反対側の左隣より、覆い布の一端を縫い合せ固定し、それより脇腹にくる余巾を取り、布を挟んで反対側左隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項６】
帯の一端に、市販の長さ調節付き連結器を折り曲げて取り付けるための連結品を、左端より２箇所取り付け、布を挟んで反対側の右隣より、覆い布の一端を縫い合せ固定し、それより脇腹にくる余巾を取り、布を挟んで反対側右隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項７】
帯の一端に、市販の長さ調節付き連結器を折り曲げて取り付けるための連結品を、右端より２箇所取り付け、左隣に覆い布の連結のための連結品を配置し、それよりまた、覆い布の連結巾を取り、覆い布の連結のための連結品を配置し、脇腹にくる余巾を取り、布を挟んで反対側の左隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項８】
帯の一端に、市販の長さ調節付き連結器を折り曲げて取り付けるための連結品を、左端より２箇所取り付け、右隣に覆い布の連結のための連結品を配置し、それよりまた、覆い布の連結巾を取り、覆い布の連結のための連結品を配置し、脇腹にくる余巾を取り、布を挟んで反対側の右隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項９】
帯の一端に、市販の長さ調節付き連結器を折り曲げて取り付けるための連結品を、右端より２箇所取り付け、布を挟んで反対側の左隣より、覆い布の一端を縫い合せ固定し、それより脇腹にくる余巾を取り、覆い布の連結のための連結品を配置し、それよりまた、覆い布の連結巾を取り、覆い布の連結のための連結品を配置し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１０】
帯の一端に、市販の長さ調節付き連結器を折り曲げて取り付けるための連結品を、左端より２箇所取り付け、布を挟んで反対側の右隣より、覆い布の一端を縫い合せ固定し、それより脇腹にくる余巾を取り、覆い布の連結のための連結品を配置し、それよりまた、覆い布の連結巾を取り、覆い布の連結のための連結品を配置し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１１】
帯の一端に、市販の長さ調節付き連結器を折り曲げて取り付けるための連結品を、右端より２箇所取り付け、布を挟んで反対側の左隣に覆い布の連結のための連結品を配置し、それよりまた、覆い布の連結巾を取り、覆い布の連結のための連結品を配置し、脇腹にくる余巾を取り、覆い布の一端を縫い合せ固定し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１２】
帯の一端に、市販の長さ調節付き連結器を折り曲げて取り付けるための連結品を、左端より２箇所取り付け、布を挟んで反対側の右隣に覆い布の連結のための連結品を配置し、それよりまた、覆い布の連結巾を取り、覆い布の連結のための連結品を配置し、脇腹にくる余巾を取り、覆い布の一端を縫い合せ固定し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１３】
帯と覆い布は分離した構造で、帯の一端に市販の長さ調節付き連結器を折り曲げて取り付けるための連結品を右端より２箇所取り付け、布を挟んで反対側同位置に長さ調節付き連結器を折り曲げて取り付けるための連結品を２箇所取り付け、その左隣には、覆い布の連結のための連結品を配置し、それよりまた、覆い布の連結巾を取り、覆い布の連結のための連結品を配置し、脇腹にくる余巾を取り、覆い布の連結のための連結品を配置し、覆い布の連結巾を取り、覆い布の連結のための連結品を配置し、覆い布は、横長にして縦３分割して一端を１列とすると、１列目には帯を通すために筒状を作り、筒状内部の下側両端に帯との連結のための連結品を配置し、３列目両端に帯との連結のための連結品を配置し、２列目両端４列目両端には、覆い布同士を連結するための連結品を配置し、帯と覆い布との組合せにより、ずれなく、着脱簡単、バラエティ−豊富な越中褌。
【考案の詳細な説明】
【技術分野】
【０００１】
本考案は、一般的に越中褌といわれている男性用下着に関する。
【背景技術】
【０００２】
従来のほとんどの越中型褌は、帯の中央に長方形の覆い布の一端を縫い合せ固定してＴ字形にして、腹の所で帯を結び覆い布を股の下から結んだ帯の内側を通し、前にたらす方式であったが、身に付けて動いていると腹部の所がはだけてずれてゆるんでしまうということで、それを解決する文献（特許文献１参照）、帯を結んで腰に取り付けため、特に寝たきりの病人の本人及び介護人の負担がかかるので、負担を軽くする文献（特許文献２参照）がある。
【特許文献１】実用新案登録  第  ３１２０６８２号公報
【特許文献２】実用新案登録  第  ３１１２３４６号公報
【考案の開示】
【考案が解決しようとする課題】
【０００３】
しかし、このような従来の課題である、身に付けて動いていると腹部の所がはだけてずれてゆるんでしまうことに対する解決が必要である。
【０００４】
帯を腹に取り付け覆い布を股から巻きつけるなど、身に付けが大変で、再び身に付ける場合最初から同じことをやりなおしをしなくければならないなど、着脱に手間がかかるという課題に対する解決が必要である。
【０００５】
身に付け方の種類も少なく、ワンパタ−ンであるので、バラエティ−のある身に付け方ができる物を作成し、ブリ−フ、トランクスのように普通日常的に多くの人に使用してもらえることが大切である。
【課題を解決するための手段】
【０００６】
そこで、帯と覆い布の一端を縫い合せ固定する構造の場合は、帯の覆い布との連結のための連結品２箇所と覆い布の帯との連結のための連結品２箇所によって連結することにし、帯と覆い布を分離した構造の場合は、帯の覆い布との連結のための連結品４箇所と覆い布の帯との連結のための連結品４箇所によって連結することにより、帯と覆い布が一体化することで、はだけてずれてゆるんでしまうことに対する対策とした。
【０００７】
帯の両端の結びを腹部の所ではなく、左又は右の脇腹の所で市販の長さ調節付き連結器により行うことにした。また、前記の帯と覆い布のお互いの連結を加味することが、着脱簡単な物が作成できる要因である。
【０００８】
帯と覆い布の一端を縫い合せ固定する構造の場合は、前記の覆い布の帯との連結のための連結品２箇所に加えて、覆い布を折り重ねて覆い布同士を連結するための連結品４箇所配置した物と、配置しないものの２種類を作り、配置した物は表裏前後の４パタ−ンで使い、配置しない物は片面前後の２パタ−ンで使うので、それに対応した４種類の帯を作成した。また、帯と覆い布を分離した構造の場合は、前記の覆い布の帯との連結のための連結品２箇所に加えて、覆い布同士を連結するための連結品４箇所を配置した物にさらに、一端に帯を通すために筒状を作り、帯との連結のための連結品を筒状内部の下側両端に配置した覆い布を作り、帯は、前記の４種類のすべての連結品を網羅した帯を作成した。また、前記の左又は右の脇腹の所で市販の長さ調節付き連結器を置くことを加味することが、バラエティ−のある物を作成できる要因である。
【考案の効果】
【０００９】
よって、帯と覆い布の一端を縫い合せ固定する構造の場合でも、帯と覆い布を分離した構造の場合でも、背と腹の部分で帯と覆い布が固定され一体化するので、腹部の所がはだけてずれてゆるんでしまうことはなく、しっかり男性器官を保護することが出来る。
【００１０】
帯の両端の結びを左又は右の脇腹の所に市販の長さ調節付き連結器をおくことと、帯と覆い布のお互いの連結により、長さ調節付き連結器を連結する寸前までセッティングしてから身に付けることができ、身に付けるまでが簡単で、脱いだ後再び身につける場合でも、トイレでのお小水の時はもちろん、それ以外の時全部はずすことなく、長さ調節付き連結器の連結で身につけることができ、予備の物もセッティングして保管ができ、整理しやすくとても便利である。
【００１１】
帯と覆い布を縫い合せ固定する構造の場合は、４種類の帯と２種類の覆い布で、前記の表裏前後の４パタ−ンと、片面前後の２パタ−ン合せて６パタ−ンができ、帯は左右両方向に取り付けて使用することができるので、全１２種類の組合せができ、１セット当りとしては使用が限定されるが、組合せによりバラエティ−のあるセットができあがるし、帯と覆い布を分離した構造の場合は、帯と覆い布との組合せによりバラエティ−のある使い方が出来る全１２パタ−ンのセットが出来上がる。
【考案を実施するための最良の形態】
【００１２】
以下、図面に基づき本考案の一実施例を説明する。
帯（図１〜図４）は、一般に越中褌と言われるＴ字帯のうちの帯の部分を示しており、帯と覆い布の一端を縫い合せ固定して使用するための帯で、帯（図１図２）は、立体図（図９（ａ））を実現するための物であり、帯（図３図４）は、立体図（図９（ｂ））を実現するための物である。
【００１３】
帯（図５）は、帯と覆い布を分離した構造で使用するための物で、帯本体１と帯（図１〜図４）のすべての箇所の連結品（ＡＢＣＤＥＦＧＨ）を網羅してある帯である。
【００１４】
覆い布（図６図７）は、一般に越中褌と言われるＴ字帯のうちの覆い布の部分を示しており、帯と覆い布の一端を縫い合せ固定して使用するための覆い布で、覆い布（図６）は、立体図（図９（ａ））を実現することができ、覆い布（図７）は、立体図（図９（ａ）、図９（ｂ））を実現することが出来る。
【００１５】
覆い布（図８）は、帯と覆い布を分離した構造で使用するための覆い布で、覆い布本体２と帯との連結のための連結品２箇所（ＩＪ）に加えて、覆い布同士を連結するための連結品４箇所（ＫＬＭＮ）を配置した物にさらに、一端に帯を通すための筒状を作り、帯との連結のための連結品（ＯＰ）を筒状内部の下側両端に配置した覆い布である。
【００１６】
立体図（図９）は、帯と覆い布の一端を縫い合せ固定して使用する場合及び、分離した構造で組合せて使用する場合の代表的な使い方２パタ−ンを立体的に表した物で、帯と覆い布の一端を縫い合せ固定して使用する構造の物について、帯（図１〜図４）と覆い布（図６図７）の組合せを整理すると、（図９（ａ））タイプの組合せは、（図１図６）（図２図６）（図１図７）（図２図７）で、（図９（ｂ））タイプの組合せは、（図３図７）（図４図７）で、計６パタ−ンであるが、帯は左右両方向に取り付けて使用することが出来るので、全１２種類のセットが出来上がる。また、帯と覆い布が分離した構造の場合は、帯（図５）と覆い布（図８）との組合せで、１セット全１２パタ−ンの使い方が出来る。
【００１７】
（図１図６）組合せ、（図９（ａ））タイプ、前面覆い布一重タイプ、長さ調節付き連結器右側取付けタイプ。
帯の一端に、市販の長さ調節付き連結器（３）を折り曲げて取り付けるための連結品（ＡＢ）右端より２箇所取り付け、左隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置した組合せ。
【００１８】
（図１図６）組合せ、（図９（ａ））タイプ、前面覆い布一重タイプ、長さ調節付き連結器左側取付けタイプ。
帯の一端に、市販の長さ調節付き連結器（３）を折り曲げて取り付けるための連結品（ＡＢ）左端より２箇所取り付け、右隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置した組合せ。
【００１９】
（図２図６）組合せ、（図９（ａ））タイプ、前面覆い布二重タイプ、長さ調節付き連結器右側取付けタイプ。
帯の一端に、市販の長さ調節付き連結器（３）を折り曲げて取り付けるための連結品（ＡＢ）右端より２箇所取り付け、左隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置した組合せ。
【００２０】
（図２図６）組合せ、（図９（ａ））タイプ、前面覆い布二重タイプ、長さ調節付き連結器左側取付けタイプ。
帯の一端に、市販の長さ調節付き連結器（３）を折り曲げて取り付けるための連結品（ＡＢ）左端より２箇所取り付け、右隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置した組合せ。
【００２１】
（図１図７）組合せ、（図９（ａ））タイプ、前面覆い布一重タイプ、長さ調節付き連結器右側取付けタイプ。
帯の一端に、市販の長さ調節付き連結器（３）を折り曲げて取り付けるための連結品（ＡＢ）右端より２箇所取り付け、左隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２２】
（図１図７）組合せ、（図９（ａ））タイプ、前面覆い布一重タイプ、長さ調節付き連結器左側取付けタイプ。
帯の一端に、市販の長さ調節付き連結器（３）を折り曲げて取り付けるための連結品（ＡＢ）左端より２箇所取り付け、右隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２３】
（図２図７）組合せ、（図９（ａ））タイプ、前面覆い布二重タイプ、長さ調節付き連結器右側取付けタイプ。
帯の一端に、市販の長さ調節付き連結器（３）を折り曲げて取り付けるための連結品（ＡＢ）右端より２箇所取り付け、左隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置し、覆い布同士を連結するための連結品（ＫＬＭＮ）を配置した組合せ。
【００２４】
（図２図７）組合せ、（図９（ａ））タイプ、前面覆い布二重タイプ、長さ調節付き連結器左側取付けタイプ。
帯の一端に、市販の長さ調節付き連結器（３）を折り曲げて取り付けるための連結品（ＡＢ）左端より２箇所取り付け、右隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置し、覆い布同士を連結するための連結品（ＫＬＭＮ）を配置した組合せ。
【００２５】
（図３図７）組合せ、（図９（ｂ））タイプ、前面覆い布一重タイプ、長さ調節付き連結器右側取付けタイプ。
帯の一端に、市販の長さ調節付き連結器（３）を折り曲げて取り付けるための連結品（ＧＨ）右端より２箇所取り付け、左隣より帯の（４）と覆い布の（４ａ）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２６】
（図３図７）組合せ、（図９（ｂ））タイプ、前面覆い布一重タイプ、長さ調節付き連結器左側取付けタイプ。
帯の一端に、市販の長さ調節付き連結器（３）を折り曲げて取り付けるための連結品（ＧＨ）左端より２箇所取り付け、右隣より帯の（４）と覆い布の（４ａ）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２７】
（図４図７）組合せ、（図９（ｂ））タイプ、前面覆い布二重タイプ、長さ調節付き連結器右側取付けタイプ。
帯の一端に、市販の長さ調節付き連結器（３）を折り曲げて取り付けるための連結品（ＡＢ）右端より２箇所取り付け、左隣より覆い布との連結のための連結品（ＥＦ）を配置し、それより脇腹にくる余巾を取り、帯の（４）と覆い布の（４ａ）を縫い合せ固定し、覆い布は、帯（ＥＦ）との連結のための連結品（ＩＪ）を配置し、覆い布同士を連結するための連結品（ＫＬＭＮ）を配置した組合せ。
【００２８】
（図４図７）組合せ、（図９（ｂ））タイプ、前面覆い布二重タイプ、長さ調節付き連結器左側取付けタイプ。
帯の一端に、市販の長さ調節付き連結器（３）を折り曲げて取り付けるための連結品（ＧＨ）左端より２箇所取り付け、右隣より覆い布との連結のための連結品（ＥＦ）を配置し、それより脇腹にくる余巾を取り、帯の（４）と覆い布の（４ａ）を縫い合せ固定し、覆い布は、帯（ＥＦ）との連結のための連結品（ＩＪ）を配置し、覆い布同士を連結するための連結品（ＫＬＭＮ）を配置した組合せ。
【００２９】
帯（図１〜図５）は、ウエストサイズにより、適切な長さの物を使い、帯巾は、２．５cm〜３．５cmくらいまでの物が適当ではないかと思われる。また、適切な覆い布巾の物を使うということにより、２箇所の覆い布との連結巾と両脇腹の２箇所の余巾をバランスよく配置し、連結品（ＣＤ）（ＥＦ）を取り付ける。長さ調節付き連結器としては、ワンタッチバックル、ナイロンリングなど両方に取り付けるタイプと、片方に取り付けるタイプがあるが、使い手により使い易い物を選択して使い、連結品としては、マジックテ−プ（登録商標）、スナップなどであるが、俗にいうと、オス、メスがあるので、その使い分けが大切である。
【００３０】
覆い布（図６〜図８）は、適切な覆い布巾の物を使うということと、長さ的にも適切なものを使って、背又は腹の箇所で帯と取り付ける覆い布の連結品（ＫＬ）の位置が適切であること、折り重ねて覆い布同士を連結する箇所の連結品（ＭＮ）も身につけた場合、たわみのない位置にすることが大切である。
【００３１】
布は、肌触りの良い、風通しの良い、蒸れにくい素材を選択して健康的で、気持のいい物、色彩、柄なども考察して楽しく使用することが大切であり、クラシックパンツとして若い人にも認知を高めて、多くの人達に利用してもらうことが大切である。
【図面の簡単な説明】
【００３２】
【図１】帯と覆い布を縫い合せ固定して使用する場合の帯の（ａ）平面図及び（ｂ）側面図
【図２】帯と覆い布を縫い合せ固定して使用する場合の帯の（ａ）平面図及び（ｂ）側面図
【図３】帯と覆い布を縫い合せ固定して使用する場合の帯の（ａ）平面図及び（ｂ）側面図
【図４】帯と覆い布を縫い合せ固定して使用する場合の帯の（ａ）平面図及び（ｂ）側面図
【図５】帯と覆い布を分離した構造で連結して使用する場合の帯の（ａ）平面図及び（ｂ）側面図
【図６】帯と覆い布を縫い合せ固定して使用する場合の覆い布の（ａ）平面図及び（ｂ）側面図
【図７】帯と覆い布を縫い合せ固定して使用する場合の覆い布の（ａ）平面図及び（ｂ）側面図
【図８】帯と覆い布を分離した構造で連結して使用する場合の覆い布の（ａ）平面図及び（ｂ）側面図
【図９】帯と覆い布を縫い合せ固定して使用する場合及び、分離した構造で組合せて使用する場合の代表的な使い方２パタ−ンの（ａ）（ｂ）立体図
【符号の説明】
【００３３】
１        帯
２        覆い布
３        長さ調節付き連結器
４        縫い合せ箇所
４ａ      縫い合せ箇所
Ａ〜Ｐ    連結品
【図１】
0003128523.tif 000003
【図２】
0003128523.tif 000004
【図３】
0003128523.tif 000005
【図４】
0003128523.tif 000006
【図５】
0003128523.tif 000007
【図６】
0003128523.tif 000008
【図７】
0003128523.tif 000009
【図８】
0003128523.tif 000010
【図９】
0003128523.tif 000011
【手続補正書】
【提出日】平成18年10月25日(2006.10.25)
【手続補正１】
【補正対象書類名】明細書
【補正対象項目名】００２７
【補正方法】変更
【補正の内容】
【００２７】
（図４図７）組合せ、（図９（ｂ））タイプ、前面覆い布二重タイプ、長さ調節付き連結器右側取付けタイプ。
帯の一端に、市販の長さ調節付き連結器（３）を折り曲げて取り付けるための連結品（ＧＨ）右端より２箇所取り付け、左隣より覆い布との連結のための連結品（ＥＦ）を配置し、それより脇腹にくる余巾を取り、帯の（４）と覆い布の（４ａ）を縫い合せ固定し、覆い布は、帯（ＥＦ）との連結のための連結品（ＩＪ）を配置し、覆い布同士を連結するための連結品（ＫＬＭＮ）を配置した組合せ。
【手続補正書】
【提出日】平成18年11月14日(2006.11.14)
【手続補正１】
【補正対象書類名】実用新案登録請求の範囲
【補正対象項目名】全文
【補正方法】変更
【補正の内容】
【実用新案登録請求の範囲】
【請求項１】
帯の一端に、長さ調節付き連結器を折り曲げて取り付けるための連結品を、右端より２箇所取り付け、布を挟んで反対側の左隣より、覆い布の一端を縫い合せ固定し、それより脇腹にくる余巾を取り、布を挟んで反対側左隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項２】
帯の一端に、長さ調節付き連結器を折り曲げて取り付けるための連結品を、左端より２箇所取り付け、布を挟んで反対側の右隣より、覆い布の一端を縫い合せ固定し、それより脇腹にくる余巾を取り、布を挟んで反対側右隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項３】
帯の一端に、長さ調節付き連結器を折り曲げて取り付けるための連結品を、右端より２箇所取り付け、左隣に覆い布の連結のための連結品を配置し、それよりまた、覆い布の連結巾を取り、覆い布の連結のための連結品を配置し、脇腹にくる余巾を取り、布を挟んで反対側の左隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項４】
帯の一端に、長さ調節付き連結器を折り曲げて取り付けるための連結品を、左端より２箇所取り付け、右隣に覆い布の連結のための連結品を配置し、それよりまた、覆い布の連結巾を取り、覆い布の連結のための連結品を配置し、脇腹にくる余巾を取り、布を挟んで反対側の右隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置した、ずれなく、着脱簡単な越中褌。
【請求項５】
帯の一端に、長さ調節付き連結器を折り曲げて取り付けるための連結品を、右端より２箇所取り付け、布を挟んで反対側の左隣より、覆い布の一端を縫い合せ固定し、それより脇腹にくる余巾を取り、布を挟んで反対側左隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項６】
帯の一端に、長さ調節付き連結器を折り曲げて取り付けるための連結品を、左端より２箇所取り付け、布を挟んで反対側の右隣より、覆い布の一端を縫い合せ固定し、それより脇腹にくる余巾を取り、布を挟んで反対側右隣より覆い布の連結のための連結品を配置し、それよりまた、覆い布の連結巾を取り、覆い布の連結のための連結品を配置し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項７】
帯の一端に、長さ調節付き連結器を折り曲げて取り付けるための連結品を、右端より２箇所取り付け、左隣に覆い布の連結のための連結品を配置し、それよりまた、覆い布の連結巾を取り、覆い布の連結のための連結品を配置し、脇腹にくる余巾を取り、布を挟んで反対側の左隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項８】
帯の一端に、長さ調節付き連結器を折り曲げて取り付けるための連結品を、左端より２箇所取り付け、右隣に覆い布の連結のための連結品を配置し、それよりまた、覆い布の連結巾を取り、覆い布の連結のための連結品を配置し、脇腹にくる余巾を取り、布を挟んで反対側の右隣より、覆い布の一端を縫い合せ固定し、覆い布は、長さ調節付き連結器のための連結品と反対方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項９】
帯の一端に、長さ調節付き連結器を折り曲げて取り付けるための連結品を、右端より２箇所取り付け、布を挟んで反対側の左隣より、覆い布の一端を縫い合せ固定し、それより脇腹にくる余巾を取り、覆い布の連結のための連結品を配置し、それよりまた、覆い布の連結巾を取り、覆い布の連結のための連結品を配置し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１０】
帯の一端に、長さ調節付き連結器を折り曲げて取り付けるための連結品を、左端より２箇所取り付け、布を挟んで反対側の右隣より、覆い布の一端を縫い合せ固定し、それより脇腹にくる余巾を取り、覆い布の連結のための連結品を配置し、それよりまた、覆い布の連結巾を取り、覆い布の連結のための連結品を配置し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１１】
帯の一端に、長さ調節付き連結器を折り曲げて取り付けるための連結品を、右端より２箇所取り付け、布を挟んで反対側の左隣に覆い布の連結のための連結品を配置し、それよりまた、覆い布の連結巾を取り、覆い布の連結のための連結品を配置し、脇腹にくる余巾を取り、覆い布の一端を縫い合せ固定し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１２】
帯の一端に、長さ調節付き連結器を折り曲げて取り付けるための連結品を、左端より２箇所取り付け、布を挟んで反対側の右隣に覆い布の連結のための連結品を配置し、それよりまた、覆い布の連結巾を取り、覆い布の連結のための連結品を配置し、脇腹にくる余巾を取り、覆い布の一端を縫い合せ固定し、覆い布は、長さ調節付き連結器のための連結品と同方向面で、横長にして縦３分割して縫い合せ固定した所を１列とすると、３列目両端に帯との連結のための連結品を配置し、２列目両端４列目両端には、覆い布同士を連結するための連結品を配置した、ずれなく、着脱簡単な越中褌。
【請求項１３】
帯と覆い布は分離した構造で、帯の一端に長さ調節付き連結器を折り曲げて取り付けるための連結品を右端より２箇所取り付け、布を挟んで反対側同位置に長さ調節付き連結器を折り曲げて取り付けるための連結品を２箇所取り付け、その左隣には、覆い布の連結のための連結品を配置し、それよりまた、覆い布の連結巾を取り、覆い布の連結のための連結品を配置し、脇腹にくる余巾を取り、覆い布の連結のための連結品を配置し、覆い布の連結巾を取り、覆い布の連結のための連結品を配置し、覆い布は、横長にして縦３分割して一端を１列とすると、１列目には帯を通すために筒状を作り、筒状内部の下側両端に帯との連結のための連結品を配置し、３列目両端に帯との連結のための連結品を配置し、２列目両端４列目両端には、覆い布同士を連結するための連結品を配置し、帯と覆い布との組合せにより、ずれなく、着脱簡単、バラエティ−豊富な越中褌。
【手続補正２】
【補正対象書類名】明細書
【補正対象項目名】全文
【補正方法】変更
【補正の内容】
【考案の詳細な説明】
【技術分野】
【０００１】
本考案は、一般的に越中褌といわれている男性用下着に関する。
【背景技術】
【０００２】
従来のほとんどの越中型褌は、帯の中央に長方形の覆い布の一端を縫い合せ固定してＴ字形にして、腹の所で帯を結び覆い布を股の下から結んだ帯の内側を通し、前にたらす方式であったが、身に付けて動いていると腹部の所がはだけてずれてゆるんでしまうということで、それを解決する文献（特許文献１参照）、帯を結んで腰に取り付けため、特に寝たきりの病人の本人及び介護人の負担がかかるので、負担を軽くする文献（特許文献２参照）がある。
【特許文献１】実用新案登録  第  ３１２０６８２号公報
【特許文献２】実用新案登録  第  ３１１２３４６号公報
【考案の開示】
【考案が解決しようとする課題】
【０００３】
しかし、このような従来の課題である、身に付けて動いていると腹部の所がはだけてずれてゆるんでしまうことに対する解決が必要である。
【０００４】
帯を腹に取り付け覆い布を股から巻きつけるなど、身に付けが大変で、再び身に付ける場合最初から同じことをやりなおしをしなくければならないなど、着脱に手間がかかるという課題に対する解決が必要である。
【０００５】
身に付け方の種類も少なく、ワンパタ−ンであるので、バラエティ−のある身に付け方ができる物を作成し、ブリ−フ、トランクスのように普通日常的に多くの人に使用してもらえることが大切である。
【課題を解決するための手段】
【０００６】
そこで、帯と覆い布の一端を縫い合せ固定する構造の場合は、帯の覆い布との連結のための連結品２箇所と覆い布の帯との連結のための連結品２箇所によって連結することにし、帯と覆い布を分離した構造の場合は、帯の覆い布との連結のための連結品４箇所と覆い布の帯との連結のための連結品４箇所によって連結することにより、帯と覆い布が一体化することで、はだけてずれてゆるんでしまうことに対する対策とした。
【０００７】
帯の両端の結びを腹部の所ではなく、左又は右の脇腹の所で長さ調節付き連結器により行うことにした。また、前記の帯と覆い布のお互いの連結を加味することが、着脱簡単な物が作成できる要因である。
【０００８】
帯と覆い布の一端を縫い合せ固定する構造の場合は、前記の覆い布の帯との連結のための連結品２箇所に加えて、覆い布を折り重ねて覆い布同士を連結するための連結品４箇所配置した物と、配置しないものの２種類を作り、配置した物は表裏前後の４パタ−ンで使い、配置しない物は片面前後の２パタ−ンで使うので、それに対応した４種類の帯を作成した。また、帯と覆い布を分離した構造の場合は、前記の覆い布の帯との連結のための連結品２箇所に加えて、覆い布同士を連結するための連結品４箇所を配置した物にさらに、一端に帯を通すために筒状を作り、帯との連結のための連結品を筒状内部の下側両端に配置した覆い布を作り、帯は、前記の４種類のすべての連結品を網羅した帯を作成した。また、前記の左又は右の脇腹の所で長さ調節付き連結器を置くことを加味することが、バラエティ−のある物を作成できる要因である。
【考案の効果】
【０００９】
よって、帯と覆い布の一端を縫い合せ固定する構造の場合でも、帯と覆い布を分離した構造の場合でも、背と腹の部分で帯と覆い布が固定され一体化するので、腹部の所がはだけてずれてゆるんでしまうことはなく、しっかり男性器官を保護することが出来る。
【００１０】
帯の両端の結びを左又は右の脇腹の所に長さ調節付き連結器をおくことと、帯と覆い布のお互いの連結により、長さ調節付き連結器を連結する寸前までセッティングしてから身に付けることができ、身に付けるまでが簡単で、脱いだ後再び身につける場合でも、トイレでのお小水の時はもちろん、それ以外の時全部はずすことなく、長さ調節付き連結器の連結で身につけることができ、予備の物もセッティングして保管ができ、整理しやすくとても便利である。
【００１１】
帯と覆い布を縫い合せ固定する構造の場合は、４種類の帯と２種類の覆い布で、前記の表裏前後の４パタ−ンと、片面前後の２パタ−ン合せて６パタ−ンができ、帯は左右両方向に取り付けて使用することができるので、全１２種類の組合せができ、１セット当りとしては使用が限定されるが、組合せによりバラエティ−のあるセットができあがるし、帯と覆い布を分離した構造の場合は、帯と覆い布との組合せによりバラエティ−のある使い方が出来る全１２パタ−ンのセットが出来上がる。
【考案を実施するための最良の形態】
【００１２】
以下、図面に基づき本考案の一実施例を説明する。
帯（図１〜図４）は、一般に越中褌と言われるＴ字帯のうちの帯の部分を示しており、帯と覆い布の一端を縫い合せ固定して使用するための帯で、帯（図１図２）は、立体図（図９（ａ））を実現するための物であり、帯（図３図４）は、立体図（図９（ｂ））を実現するための物である。
【００１３】
帯（図５）は、帯と覆い布を分離した構造で使用するための物で、帯本体１と帯（図１〜図４）のすべての箇所の連結品（ＡＢＣＤＥＦＧＨ）を網羅してある帯である。
【００１４】
覆い布（図６図７）は、一般に越中褌と言われるＴ字帯のうちの覆い布の部分を示しており、帯と覆い布の一端を縫い合せ固定して使用するための覆い布で、覆い布（図６）は、立体図（図９（ａ））を実現することができ、覆い布（図７）は、立体図（図９（ａ）、図９（ｂ））を実現することが出来る。
【００１５】
覆い布（図８）は、帯と覆い布を分離した構造で使用するための覆い布で、覆い布本体２と帯との連結のための連結品２箇所（ＩＪ）に加えて、覆い布同士を連結するための連結品４箇所（ＫＬＭＮ）を配置した物にさらに、一端に帯を通すための筒状を作り、帯との連結のための連結品（ＯＰ）を筒状内部の下側両端に配置した覆い布である。
【００１６】
立体図（図９）は、帯と覆い布の一端を縫い合せ固定して使用する場合及び、分離した構造で組合せて使用する場合の代表的な使い方２パタ−ンを立体的に表した物で、帯と覆い布の一端を縫い合せ固定して使用する構造の物について、帯（図１〜図４）と覆い布（図６図７）の組合せを整理すると、（図９（ａ））タイプの組合せは、（図１図６）（図２図６）（図１図７）（図２図７）で、（図９（ｂ））タイプの組合せは、（図３図７）（図４図７）で、計６パタ−ンであるが、帯は左右両方向に取り付けて使用することが出来るので、全１２種類のセットが出来上がる。また、帯と覆い布が分離した構造の場合は、帯（図５）と覆い布（図８）との組合せで、１セット全１２パタ−ンの使い方が出来る。
【００１７】
（図１図６）組合せ、（図９（ａ））タイプ、前面覆い布一重タイプ、長さ調節付き連結器右側取付けタイプ。
帯の一端に、長さ調節付き連結器（３）を折り曲げて取り付けるための連結品（ＡＢ）右端より２箇所取り付け、左隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置した組合せ。
【００１８】
（図１図６）組合せ、（図９（ａ））タイプ、前面覆い布一重タイプ、長さ調節付き連結器左側取付けタイプ。
帯の一端に、長さ調節付き連結器（３）を折り曲げて取り付けるための連結品（ＡＢ）左端より２箇所取り付け、右隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置した組合せ。
【００１９】
（図２図６）組合せ、（図９（ａ））タイプ、前面覆い布二重タイプ、長さ調節付き連結器右側取付けタイプ。
帯の一端に、長さ調節付き連結器（３）を折り曲げて取り付けるための連結品（ＡＢ）右端より２箇所取り付け、左隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置した組合せ。
【００２０】
（図２図６）組合せ、（図９（ａ））タイプ、前面覆い布二重タイプ、長さ調節付き連結器左側取付けタイプ。
帯の一端に、長さ調節付き連結器（３）を折り曲げて取り付けるための連結品（ＡＢ）左端より２箇所取り付け、右隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置した組合せ。
【００２１】
（図１図７）組合せ、（図９（ａ））タイプ、前面覆い布一重タイプ、長さ調節付き連結器右側取付けタイプ。
帯の一端に、長さ調節付き連結器（３）を折り曲げて取り付けるための連結品（ＡＢ）右端より２箇所取り付け、左隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２２】
（図１図７）組合せ、（図９（ａ））タイプ、前面覆い布一重タイプ、長さ調節付き連結器左側取付けタイプ。
帯の一端に、長さ調節付き連結器（３）を折り曲げて取り付けるための連結品（ＡＢ）左端より２箇所取り付け、右隣より帯の（４）と覆い布の（４）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２３】
（図２図７）組合せ、（図９（ａ））タイプ、前面覆い布二重タイプ、長さ調節付き連結器右側取付けタイプ。
帯の一端に、長さ調節付き連結器（３）を折り曲げて取り付けるための連結品（ＡＢ）右端より２箇所取り付け、左隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置し、覆い布同士を連結するための連結品（ＫＬＭＮ）を配置した組合せ。
【００２４】
（図２図７）組合せ、図９（ａ））タイプ、前面覆い布二重タイプ、長さ調節付き連結器左側取付けタイプ。
帯の一端に、長さ調節付き連結器（３）を折り曲げて取り付けるための連結品（ＡＢ）左端より２箇所取り付け、右隣より覆い布との連結のための連結品（ＥＦ）を配置し、それより脇腹にくる余巾を取り、帯の（４）と覆い布の（４）を縫い合せ固定し、覆い布は、帯（ＥＦ）との連結のための連結品（ＩＪ）を配置し、覆い布同士を連結するための連結品（ＫＬＭＮ）を配置した組合せ。
【００２５】
（図３図７）組合せ、（図９（ｂ））タイプ、前面覆い布一重タイプ、長さ調節付き連結器右側取付けタイプ。
帯の一端に、長さ調節付き連結器（３）を折り曲げて取り付けるための連結品（ＧＨ）右端より２箇所取り付け、左隣より帯の（４）と覆い布の（４ａ）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２６】
（図３図７）組合せ、（図９（ｂ））タイプ、前面覆い布一重タイプ、長さ調節付き連結器左側取付けタイプ。
帯の一端に、長さ調節付き連結器（３）を折り曲げて取り付けるための連結品（ＧＨ）左端より２箇所取り付け、右隣より帯の（４）と覆い布の（４ａ）を縫い合せ固定し、それより脇腹にくる余巾を取り、覆い布との連結のための連結品（ＣＤ）を配置し、覆い布は、帯（ＣＤ）との連結のための連結品（ＩＪ）を配置し、覆い布同士を連結するための連結品（ＫＬＭＮ）を配置した組合せ。
【００２７】
（図４図７）組合せ、（図９（ｂ））タイプ、前面覆い布二重タイプ、長さ調節付き連結器右側取付けタイプ。
帯の一端に、長さ調節付き連結器（３）を折り曲げて取り付けるための連結品（ＧＨ）右端より２箇所取り付け、左隣より覆い布との連結のための連結品（ＥＦ）を配置し、それより脇腹にくる余巾を取り、帯の（４）と覆い布の（４ａ）を縫い合せ固定し、覆い布は、帯（ＥＦ）との連結のための連結品（ＩＪ）を配置し、覆い布同士を連結するための連結品（ＫＬＭＮ）を配置した組合せ。
【００２８】
（図４図７）組合せ、（図９（ｂ））タイプ、前面覆い布二重タイプ、長さ調節付き連結器左側取付けタイプ。
帯の一端に、長さ調節付き連結器（３）を折り曲げて取り付けるための連結品（ＧＨ）左端より２箇所取り付け、右隣より覆い布との連結のための連結品（ＥＦ）を配置し、それより脇腹にくる余巾を取り、帯の（４）と覆い布の（４ａ）を縫い合せ固定し、覆い布は、帯（ＥＦ）との連結のための連結品（ＩＪ）を配置し、覆い布同士を連結するための連結品（ＫＬＭＮ）を配置した組合せ。
【００２９】
帯（図１〜図５）は、ウエストサイズにより、適切な長さの物を使い、帯巾は、２．５cm〜３．５cmくらいまでの物が適当ではないかと思われる。また、適切な覆い布巾の物を使うということにより、２箇所の覆い布との連結巾と両脇腹の２箇所の余巾をバランスよく配置し、連結品（ＣＤ）（ＥＦ）を取り付ける。長さ調節付き連結器としては、ワンタッチバックル、ナイロンリングなど両方に取り付けるタイプと、片方に取り付けるタイプがあるが、使い手により使い易い物を選択して使い、連結品としては、マジックテ−プ（登録商標）、スナップなどであるが、俗にいうと、オス、メスがあるので、その使い分けが大切である。
【００３０】
覆い布（図６〜図８）は、適切な覆い布巾の物を使うということと、長さ的にも適切なものを使って、背又は腹の箇所で帯と取り付ける覆い布の連結品（ＫＬ）の位置が適切であること、折り重ねて覆い布同士を連結する箇所の連結品（ＭＮ）も身につけた場合、たわみのない位置にすることが大切である。
【００３１】
布は、肌触りの良い、風通しの良い、蒸れにくい素材を選択して健康的で、気持のいい物、色彩、柄なども考察して楽しく使用することが大切であり、クラシックパンツとして若い人にも認知を高めて、多くの人達に利用してもらうことが大切である。
【図面の簡単な説明】
【００３２】
【図１】帯と覆い布を縫い合せ固定して使用する場合の帯の（ａ）平面図及び（ｂ）側面図
【図２】帯と覆い布を縫い合せ固定して使用する場合の帯の（ａ）平面図及び（ｂ）側面図
【図３】帯と覆い布を縫い合せ固定して使用する場合の帯の（ａ）平面図及び（ｂ）側面図
【図４】帯と覆い布を縫い合せ固定して使用する場合の帯の（ａ）平面図及び（ｂ）側面図
【図５】帯と覆い布を分離した構造で連結して使用する場合の帯の（ａ）平面図及び（ｂ）側面図
【図６】帯と覆い布を縫い合せ固定して使用する場合の覆い布の（ａ）平面図及び（ｂ）側面図
【図７】帯と覆い布を縫い合せ固定して使用する場合の覆い布の（ａ）平面図及び（ｂ）側面図
【図８】帯と覆い布を分離した構造で連結して使用する場合の覆い布の（ａ）平面図及び（ｂ）側面図
【図９】帯と覆い布を縫い合せ固定して使用する場合及び、分離した構造で組合せて使用する場合の代表的な使い方２パタ−ンの（ａ）（ｂ）立体図
【符号の説明】
【００３３】
１        帯
２        覆い布
３        長さ調節付き連結器
４        縫い合せ箇所
４ａ      縫い合せ箇所
Ａ〜Ｐ    連結品